(57)【特許請求の範囲】
【請求項１】
角柱形状を有するレンガを円形に組み付ける際に、前記レンガと前記レンガとの間に配置されるレンガ組用補助部材であって、
鋭角の中心角、前記中心角を形成する第１の辺、第２の辺、及び、前記中心角に対向して位置する第３の辺を有する上面、及び、下面、
前記上面と前記下面との間に形成される第１の側面であって、前記第１の辺に沿って形成される第１の側面、
前記上面と前記下面との間に形成される第２の側面であって、前記第２の辺に沿って形成される第２の側面、
前記上面と前記下面との間に形成される第３の側面であって、前記第３の辺に沿って形成される第３の側面、
前記第３の側面に隣接して位置する前記第１の側面が有する共通辺、及び／又は、前記第３の側面に隣接して位置する前記第２の側面が有する共通辺、それぞれに沿って形成される角を切除して形成される仕上空間、
を有するレンガ組用補助部材。
【請求項２】
請求項１に係るレンガ組用補助部材において、
前記仕上空間は、さらに、
前記上面に隣接して位置する前記第１の側面が有する共通辺、及び／又は、前記上面に隣接して位置する前記第２の側面が有する共通辺、それぞれに沿って形成される角を切除して形成されること、
を特徴とするレンガ組用補助部材。
【請求項３】
請求項１、又は、請求項２に係るレンガ組用補助部材において、
前記第１の辺は、
前記第２の辺と同じ長さを有すること、
を特徴とするレンガ組用補助部材。
【請求項４】
角柱形状を有するレンガを円形に組み付ける際に、前記レンガと前記レンガとの間に配置されるレンガ組用補助部材であって、鋭角の中心角、前記中心角を形成する第１の辺、第２の辺、及び、前記中心角に対向して位置する第３の辺を有する上面、及び、下面、前記上面と前記下面との間に形成される第１の側面であって、前記第１の辺に沿って形成される第１の側面、前記上面と前記下面との間に形成される第２の側面であって、前記第２の辺に沿って形成される第２の側面、前記上面と前記下面との間に形成される第３の側面であって、前記第３の辺に沿って形成される第３の側面、前記上面、前記下面、前記第１の側面、前記第２の側面、及び、前記第３の側面のうち、隣接して位置するものが有する共通辺に沿って形成される角を切除して形成される仕上空間、を有するレンガ組用補助部材の前記仕上空間に配置される仕上部材であって、
前記仕上空間の形状と同一の形状を有する仕上部材。
【発明の詳細な説明】
【技術分野】
【０００１】
本発明は、角柱形状を有するレンガを円形に組み付ける際に、レンガとレンガとの間の隙間に介在されるレンガ組用補助部材に関し、特に、容易にきれいな仕上を施せるものに関する。
【背景技術】
【０００２】
従来のレンガ組用補助部材について、図９を用いて説明する。レンガ組用補助部材１００Ａは、市販のレンガ２００を円形に組み付ける際に、レンガ２００とレンガ２００との間の隙間に介在されるレンガ組用補助部材であって、二等辺三角形状の頂角の部分がカットされた略台形状を呈し、市販のレンガ２００と同等の厚さ寸法を有し、かつ長さが等しい二辺１１０Ａの長さ寸法は、市販のレンガ２００の長辺２１０より短く設定されている（特許文献１参照）。
【先行技術文献】
【特許文献】
【０００３】
【特許文献１】実用新案登録第３１２４６５２号公報
【発明の開示】
【発明が解決しようとする課題】
【０００４】
しかしながら、前述のレンガ組用補助部材１００Ａには、以下に示す改善すべき点がある。レンガ組用補助部材１００Ａをもちいて、円形にレンガを組み上げる際に、レンガ組用補助部材１００Ａとレンガとを、モルタルセメントを用いて固定する。
【０００５】
モルタルセメントを用いたレンガの固定には以下に示すような問題点がある。まず、モルタルセメントによる固定は、外表面をきれいに仕上げようとすれば熟練の技術が必要であるため、施工が難しく、また、時間がかかる、という改善すべき点がある。
【０００６】
また、モルタルセメントを用いてレンガとレンガ組用補助部材１００Ａとを固定する際には、施工前にレンガに水分を含ませておく必要がある。レンガに含ませておく水分が少なければ、レンガはモルタルセメントから水分を吸収し、一方、レンガに含ませておく水分が多ければ、モルタルセメントの接着力が減少する。このため、気温等の施工条件の変化に合わせてレンガに水分を含ませた上で、レンガを積み上げていく必要があり、施工者の熟練を必要とするといった施工上の問題が生じ、安定した施工が難しい、という改善すべき点がある。
【０００７】
さらに、レンガを組み上げる際にモルタルセメントを目地材として用いると、モルタルセメントに起因する白化現象が発生するため、レンガ組構造物の外観をきれいに維持することが難しい、という問題点がある。モルタルセメントは、原料の一つにポルトランドセメント（Ｐｏｒｔｌａｎｄ  ｃｅｍｅｎｔ）を使用している。このため、ポルトランドセメント中にあるカルシウムイオンが溶け出し、目地材表面で炭酸ガス（二酸化炭素）や硫酸イオンと化学反応し、結果として、目地材表面に白色の結晶が生成される。
【０００８】
そこで、本発明は、短時間で、簡単かつきれいに円形にレンガを組み上げることができるレンガ組用補助部材、及び、仕上部材を提供することを目的とする。また、本発明は、白化現象の発生を防止し、外観をきれいに維持できるレンガ組用補助部材、及び、仕上部材を提供することを目的とする。
【発明の効果】
【０００９】
本発明における課題を解決するための手段及び発明の効果を以下に示す。
【００１０】
本発明に係るレンガ組用補助部材は、角柱形状を有するレンガを円形に組み付ける際に、前記レンガと前記レンガとの間に配置されるレンガ組用補助部材であって、鋭角の中心角、前記中心角を形成する第１の辺、第２の辺、及び、前記中心角に対向して位置する第３の辺を有する上面、及び、下面、前記上面と前記下面との間に形成される第１の側面であって、前記第１の辺に沿って形成される第１の側面、前記上面と前記下面との間に形成される第２の側面であって、前記第２の辺に沿って形成される第２の側面、前記上面と前記下面との間に形成される第３の側面であって、前記第３の辺に沿って形成される第３の側面、前記上面、前記下面、前記第１の側面、前記第２の側面、及び、前記第３の側面のうち、隣接して位置するものが有する共通辺に沿って形成される角を切除して形成される仕上空間、を有する。
【００１１】
これにより、レンガ組用補助部材を用いて角柱形状を有するレンガを円形に組み付けた円形レンガ構造物を形成する際に、隣接するレンガとレンガ組用補助部材との境界に仕上空間を配置することができる。よって、仕上空間を所定の仕上材料等を用いて埋設することによって、レンガとレンガ組用補助部材との境界を、円形レンガ構造物を外部から見えないようにすることができる。また、仕上空間に埋設した仕上材料等の表面をきれいに仕上げることによって、円形レンガ構造物の外表面をきれいに仕上げることができ、外部からの意匠性を向上させることができる。
【００１２】
また、レンガとレンガ組用補助部材との固定に、有機性接着剤を用いることができる。このため、ポルトランドセメントに起因する白化現象の発生を防止することができる。よって、レンガによって組み上げた構造物の外観をきれいに維持できる。
【００１３】
さらに、仕上空間を含む円形レンガ構造物の外表面を、仕上げ材としての所定の塗装剤を用いて、きれいに仕上げることができる。これにより、白化現象を防止できるとともに、容易に円形レンガ構造物の外表面をきれいに仕上げることができる。なお、使用する塗装剤としては、有機性、無機性、いずれのものも使用することができる。
【００１４】
本発明に係るレンガ組用補助部材では、前記仕上空間は、前記第３の側面に隣接して位置する前記第１の側面が有する共通辺、及び／又は、前記第３の側面に隣接して位置する前記第２の側面が有する共通辺、それぞれに沿って形成される角を切除して形成されること、を特徴とする。
【００１５】
これにより、レンガ組用補助部材を用いて角柱形状を有するレンガを円形に組み付けた円形レンガ構造物を形成する際に、隣接するレンガとレンガ組用補助部材との中心角と対向する側の境界、つまり、円形レンガ構造物の外側に位置する境界に仕上空間を配置することができる。よって、仕上空間を所定の仕上材料等を用いて埋設することによって、レンガとレンガ組用補助部材との外側の境界を、円形レンガ構造物を外部から見えないようにすることができる。また、仕上空間に埋設した仕上材料等の表面をきれいに仕上げることによって、円形レンガ構造物の外表面をきれいに仕上げることができ、外部からの意匠性を向上させることができる。
【００１６】
本発明に係るレンガ組用補助部材では、前記上面に隣接して位置する前記第１の側面が有する共通辺、及び／又は、前記上面に隣接して位置する前記第２の側面が有する共通辺、それぞれに沿って形成される角を切除して形成されること、を特徴とする。
【００１７】
これにより、レンガ組用補助部材を用いて角柱形状を有するレンガを円形に組み付けた円形レンガ構造物を形成する際に、最上層における隣接するレンガとレンガ組用補助部材との境界、つまり、円形レンガ構造物の最上側に位置する境界に仕上空間を配置することができる。よって、仕上空間を所定の仕上材料等を用いて埋設することによって、レンガとレンガ組用補助部材との最上側の境界を、円形レンガ構造物を外部から見えないようにすることができる。また、仕上空間に埋設した仕上材料等の表面をきれいに面一に仕上げることによって、円形レンガ構造物の外表面をきれいに仕上げることができ、外部からの意匠性を向上させることができる。
【００１８】
本発明に係るレンガ組用補助部材では、前記第１の辺は、前記第２の辺と同じ長さを有すること、を特徴とする。
【００１９】
これにより、きれいな円形を有する円形レンガ構造物を容易に形成することができる。
【００２０】
本発明に係る仕上部材は、角柱形状を有するレンガを円形に組み付ける際に、前記レンガと前記レンガとの間に配置されるレンガ組用補助部材であって、鋭角の中心角、前記中心角を形成する第１の辺、第２の辺、及び、前記中心角に対向して位置する第３の辺を有する上面、及び、下面、前記上面と前記下面との間に形成される第１の側面であって、前記第１の辺に沿って形成される第１の側面、前記上面と前記下面との間に形成される第２の側面であって、前記第２の辺に沿って形成される第２の側面、前記上面と前記下面との間に形成される第３の側面であって、前記第３の辺に沿って形成される第３の側面、前記上面、前記下面、前記第１の側面、前記第２の側面、及び、前記第３の側面のうち、隣接して位置するものが有する共通辺に沿って形成される角を切除して形成される仕上空間、を有するレンガ組用補助部材の前記仕上空間に配置される仕上部材であって、前記仕上空間の形状と同一の形状を有する。
【００２１】
これにより、レンガ組用補助部材を用いて角柱形状を有するレンガを円形に組み付けた円形レンガ構造物を形成する際に、隣接するレンガとレンガ組用補助部材との境界に配置された仕上空間を容易に埋設することができる。よって、簡単かつ短時間で仕上空間を埋設し、レンガとレンガ組用補助部材との境界を、円形レンガ構造物を外部から見えないようにすることができる。また、仕上部材によって、仕上空間をきれいに仕上げることができるので、外部からの意匠性を向上させることができる。
【図面の簡単な説明】
【００２２】
【図１】本発明の一実施形態に係るレンガ組用補助部材１の斜視図である。
【図２】レンガ組用補助部材１を用いて形成した円形レンガ構造物ＣＢ１を示す斜視図である。
【図３】本発明の一実施形態に係るレンガ組用補助部材２の斜視図である。
【図４】レンガ組用補助部材２を用いて形成した円形レンガ構造物ＣＢ２を示す斜視図である。
【図５】本発明の一実施形態に係る仕上部材３の斜視図である。
【図６】本発明の一実施形態に係る仕上部材４の斜視図である。
【図７】その他の実施例に係るレンガ組用補助部材を示す図である。
【図８】その他の実施例に係るレンガ組用補助部材を示す図である。
【図９】従来のレンガ組用補助部材を示す図である。
【発明を実施するための形態】
【００２３】
以下、本発明の実施例について、図面を参照しながら詳細に説明していく。
【実施例１】
【００２４】
本発明に係るレンガ組用補助部材１を、図１に示す概略的斜視図を用いて説明する。レンガ組用補助部材１は、レンガを円形に組み付ける際に、レンガとレンガとの間に位置する。なお、使用するレンガは、一般に市販されているものである。一般に市販されているレンガは、大きさがＪＩＳで規定されており、最も大きく、また、最も一般的な全形と称されるタイプのものは、長辺×短辺×厚さが、２１０ｍｍ×１００ｍｍ×６０ｍｍの角柱形状を有している。
【００２５】
レンガ組用補助部材１は、上面１１、下面１２、第１の側面１３、第２の側面１４、第３の側面１５、及び、仕上空間１７（図示せず）を有している。上面１１は、中心角α１１、第１の辺１１ａ、第２の辺１１ｂ、第３の辺１１ｃを有している。中心角α１１は、鋭角である。第１の辺１１ａ及び第２の辺１１ｂは、中心角α１１を形成する。第３の辺１１ｃは、中心角α１１に対向して位置する。第１の辺１１ａと第２の辺１１ｂとは、同じ長さを有している。なお、中心角α１１は、第１の辺１１ａと第２の辺１１ｂとが直接的に交わることによって形成されている。下面１２についても、上面１１と同様である。
【００２６】
第１の側面１３は、上面１１と下面１２との間に形成される。また、第１の側面１３は、上面１１の第１の辺１１ａに沿って形成される。第２の側面１４は、上面１１と下面１２との間に形成される。第２の側面１４は、上面１１の第２の辺１１ｂに沿って形成される。第３の側面１５は、上面１１と下面１２との間に形成される。第３の側面１５は、上面１１の第３の辺１１ｃに沿って形成される。
【００２７】
仕上空間１７は、第１の仕上空間１７ａ及び第２の仕上空間１７ｂを有している。第１の仕上空間１７ａは、第３の側面１５に隣接して位置する第１の側面１３が有する共通辺１５ａに沿って形成される角を切除して形成される。ここで、共通辺１５ａに沿って形成される角は、平面Ｐ１５ａを用いて切除される。つまり、第１の仕上空間１７ａは、三角柱形状を有している。
【００２８】
また、第２の仕上空間１７ｂは、第３の側面１５に隣接して位置する第２の側面１４が有する共通辺１５ｂに沿って形成される角を切除して形成される。ここで、共通辺１５ｂに沿って形成される角は、平面Ｐ１５ｂを用いて切除される。つまり、第２の仕上空間１７ｂは、三角柱形状を有している。
【００２９】
なお、共通辺１５ａ、１５ｂの長さは、レンガ組用補助部材１を用いてレンガを円形に組み上げた際に、レンガ組用補助部材１の上面１１とレンガの上面とが面一となるように、レンガの高さ方向の厚さとほぼ同じである。
【００３０】
レンガ組用補助部材１は、陶磁器質のレンガや、セメント素材のレンガを用いて形成されている。
【００３１】
図１に示すレンガ組用補助部材１を用いて、レンガを円形に組み合わせた円形レンガ構造物ＣＢ１を図２に示す。なお、図２においては、仕上空間１７に埋設する仕上材料については記載を省略している。
【００３２】
円形レンガ構造物ＣＢ１を形成しようとする使用者は、所定の位置に、レンガＢを配置する。次に、使用者は、配置したレンガＢの側面にレンガ組用補助部材１の第１の側面１３、又は、第２の側面１４が対向するように、レンガ組用補助部材１を配置する。このとき、使用者は、レンガ組用補助部材１の中心角α１１、α１２（図１参照）が、円形レンガ構造物ＣＢ１の中心に向くように、レンガ組用補助部材１を配置する。
【００３３】
なお、レンガ組用補助部材１とレンガＢとを固定する際には、使用者は、レンガＢの側面、又は、レンガＢの側面と対向するレンガ組用補助部材１の第１の側面１３、又は、第２の側面１４に有機性の弾性接着剤を塗布し、両者を圧着する。なお、使用する有機性の弾性接着剤としては、例えば、シリコンを用いる。
【００３４】
これにより、レンガ組用補助部材１とレンガＢとを固定する際に、モルタルセメント等、ポルトランドセメントを含む材料を、いわゆる目地材として使用しないため、レンガ組構造物における白化現象の発生を防止することができる。
【００３５】
このように、レンガＢとレンガ組用補助部材１とを交互に配置して円形レンガ構造物ＣＢ１を形成することによって、隣接するレンガＢとレンガ組用補助部材１との境界に、仕上空間１７ａ、１７ｂを配置することができる。使用者は、仕上空間１７ａ、１７ｂに、仕上げ材料を埋設し、円形レンガ構造物ＣＢ１の外表面をきれいに、例えば、面一となるように、形成する。仕上材料としては、例えば、粘土、カラー目地材、コーキング材、セメントボンド材を用いる。
【００３６】
レンガ組用補助部材１を用いて円形レンガ構造物ＣＢ１を形成することによって、隣接するレンガＢとレンガ組用補助部材１との境界に仕上空間１７ａ、１７ｂを配置することができるので、仕上空間１７ａ、１７ｂを所定の仕上材料を用いて埋設することによって、レンガＢとレンガ組用補助部材１との境界を、円形レンガ構造物ＣＢ１を外部から見えないようにすることができる。また、仕上空間１７ａ、１７ｂに埋設した仕上材料の表面をきれいに仕上げることによって、円形レンガ構造物ＣＢ１の外表面をきれいに仕上げることができ、外部からの意匠性を向上させることができる。
【００３７】
レンガ組用補助部材１を用いて円形レンガ構造物ＣＢ１を形成する際には、有機性の弾性接着剤を用いてレンガＢとレンガ組用補助部材１とを固定するため、モルタルセメントを用いて固定していた従来の円形レンガ構造物に比して、目地が存在しないため外部からの意匠性に違いが生ずるが、仕上空間１７ａ、１７ｂを形成することによって、外部から見た際に目地を形成できるため、従来の円形レンガ構造物と遜色ない意匠を形成することができる。また、レンガＢ、レンガ組用補助部材１、仕上材料、それぞれの色彩、明度等を調整することによって、外部から見た意匠を容易に調整できる。
【００３８】
このようにして、レンガＢとレンガ組用補助部材１とを用いて円形レンガ構造物ＣＢ１の第１層を形成した後、同様にして、第２層、第３層といった上層を、所望の高さまで形成する。なお、使用者は、第１層のレンガ組用補助部材１の上部にレンガＢが配置されるように、第２層を形成する。このとき、使用者は、第２の層のレンガＢの下面、又は、第２層のレンガＢの下面側面と対向する第１層のレンガ組用補助部材１の上面１１に有機性の弾性接着剤を塗布し、両者を圧着する。
【実施例２】
【００３９】
前述の実施例１においては、レンガ組用補助部材１は、第３の側面１５と第１の側面１３との共通辺１５ａ、第３の側面１５と第２の側面１４との共通辺１５ｂ、それぞれに沿って形成される角を切除した仕上空間１７ａ、１７ｂを有するとした。一方、本実施例に係るレンガ組用補助部材２は、他の角を切除した仕上区間を有するものである。なお、以下において、実施例１と同様の構成については、実施例１と同じ符号を付し、詳細な説明を省略する。
【００４０】
レンガ組用補助部材２について、図３を用いて説明する。レンガ組用補助部材２は、上面１１、下面１２、第１の側面１３、第２の側面１４、第３の側面１５、及び、仕上空間２１（図示せず）を有している。
【００４１】
仕上空間２１は、第１の仕上空間１７ａ、第２の仕上空間１７ｂ、第３の仕上空間２１ａ、及び、第４の仕上空間２１ｂを有している。第３の仕上空間２１ａは、上面１１に隣接して位置する第１の側面１３が有する共通辺である第１の辺１１ａに沿って形成される角を切除して形成される。ここで、第１の辺１１ａに沿って形成される角は、平面Ｐ１１ａを用いて切除される。つまり、第３の仕上空間２１ａは、三角柱形状を有している。
【００４２】
また、第４の仕上空間２１ｂは、上面１１に隣接して位置する第２の側面１４が有する共通辺である第２の辺１１ｂに沿って形成される角を切除して形成される。ここで、第２の辺１１ｂに沿って形成される角は、平面Ｐ１１ｂを用いて切除される。つまり、第４の仕上空間２１ｂは、三角柱形状を有している。
【００４３】
なお、第１の仕上空間１７ａ、第２の仕上空間１７ｂ、第３の仕上空間２１ａ、及び、第４の仕上空間２１ｂは、一体となった空間として形成される。
【００４４】
図３に示すレンガ組用補助部材２を用いて、レンガを円形に組み合わせた円形レンガ構造物ＣＢ２を図４に示す。なお、図４においては、仕上空間２１に埋設する仕上材料については記載を省略している。
【００４５】
使用者は、最上層を形成する前までは、実施例１における円形レンガ構造物ＣＢ１と同様に、円形レンガ構造物ＣＢ２を形成する。そして、使用者は、レンガ組用補助部材２を用いて最上層を形成する。なお、最上層の形成に際しては、円形レンガ構造物ＣＢ１と同様に、レンガ組用補助部材２とレンガＢとを交互に配置する。
【００４６】
最上層を形成した使用者は、所定の仕上材料を用いて仕上空間２１を埋設し、外表面をきれいに仕上げる。この際、使用者は、仕上空間２１ａ、２１ｂを仕上げる際には、最上層の最上面が面一となるように仕上げる。これにより、円形レンガ構造物ＣＢ２の外表面をきれいに仕上げることができ、外部からの意匠性を向上させることができる。
【実施例３】
【００４７】
前述の実施例１においては、レンガ組用補助部材１を用いて円形レンガ構造物ＣＢ１を形成する際に、レンガ組用補助部材１の仕上空間１７ａ、１７ｂに所定の仕上材料を埋設することによって、円形レンガ構造物ＣＢ１の外表面を仕上げるものであった。一方、本実施例においては、レンガ組用補助部材１を用いて円形レンガ構造物を形成する際に、仕上部材３を用いて、円形レンガ構造物の外表面を仕上げるものである。なお、以下において、実施例１と同様の構成については、実施例１と同じ符号を付し、詳細な説明を省略する。
【００４８】
仕上部材３について、図５を用いて説明する。仕上部材３は、レンガ組用補助部材１の仕上空間１７ａ、１７ｂと同様の形状を有している。つまり、仕上部材３は、三角柱形状を有している。
【００４９】
仕上部材３は、金属、セメント、コーキング材のような屋外での使用によって劣化することなく、外表面に意匠加工ができる材料を用いて形成されている。これにより、仕上部材３の外表面に所定の表面加工を施すことができ、形成する円形レンガ構造物に合わせた様々な意匠を施すことができる。
【００５０】
仕上部材３は、所定の工場で生産される。これにより、形状や品質等が安定した仕上部材３を生産できる。
【００５１】
仕上部材３は、円形レンガ構造物を形成する際に仕上空間１７ａ、１７ｂを埋設する仕上材料に変えて用いられる。仕上部材３を用いることによって、簡単に、短時間で、円形レンガ構造物の外表面をきれいに仕上げることができる。なお、仕上部材３を仕上空間１７ａ、１７ｂに埋設する際には、レンガ組用補助部材１及び／又は仕上部材３の対向する面に、所定の有機性の弾性接着剤を塗布し、両者を圧着する。
【００５２】
仕上部材３を用いて円形レンガ構造物を形成する際には、有機性の弾性接着剤を用いてレンガＢとレンガ組用補助部材１とを固定するため、モルタルセメントを用いて固定していた従来の円形レンガ構造物に比して、目地が存在しないため外部からの意匠性に違いが生ずるが、仕上部材３を用いることによって、外部から見た際に目地に相当する部分に、様々な意匠を形成できるため、従来の円形レンガ構造物と比して多様な意匠を形成することができる。また、仕上部材３は、工場等で生産できるため、容易に多様な外表面意匠を形成できる。よって、レンガＢやレンガ組用補助部材１とのバランスを考慮しながら、それぞれの色彩、明度等を調整することによって、外部から見た意匠を容易に調整できる。
【実施例４】
【００５３】
前述の実施例４においては、レンガ組用補助部材１の仕上空間１７ａ、１７ｂと同様の形状を有する仕上部材３を用いて円形レンガ構造物の外表面を仕上げるものであった。一方、本実施例においては、仕上空間１７ａ、１７ｂ、２１ａ、２１ｂと同様の形状を有する仕上部材４を用いて円形レンガ構造物の外表面を仕上げるものである。なお、以下において、実施例１と同様の構成については、実施例１と同じ符号を付し、詳細な説明を省略する。
【００５４】
仕上部材４について、図６を用いて説明する。仕上部材３は、レンガ組用補助部材２の仕上空間１７ａ、１７ｂ、２１ａ、２１ｂが一体となった仕上空間２１と同様の形状を有している。つまり、仕上部材４は、複数の三角柱形状が一体となった形状を有している。
【００５５】
仕上部材４は、金属、セメント、コーキング材のような屋外での使用によって劣化することなく、外表面に意匠加工ができる材料を用いて形成されている。これにより、仕上部材４の外表面に所定の表面加工を施すことができ、形成する円形レンガ構造物に合わせた様々な意匠を施すことができる。
【００５６】
仕上部材４は、所定の工場で生産される。これにより、形状や品質等が安定した仕上部材３を生産できる。
【００５７】
仕上部材４は、円形レンガ構造物を形成する際に、最上層の仕上空間２１を埋設する仕上材料に変えて用いられる。仕上部材４を用いることによって、簡単に、短時間で、円形レンガ構造物の最上側の外表面をきれいに仕上げることができる。なお、仕上部材４を仕上空間２１に埋設する際には、レンガ組用補助部材２及び／又は仕上部材４の対向する面に、所定の有機性の弾性接着剤を塗布し、両者を圧着する。
【００５８】
仕上部材４を用いて円形レンガ構造物を形成する際には、有機性の弾性接着剤を用いてレンガＢとレンガ組用補助部材２とを固定するため、モルタルセメントを用いて固定していた従来の円形レンガ構造物に比して、目地が存在しないため外部からの意匠性に違いが生ずるが、仕上部材４を用いることによって、外部から見た際に目地に相当する部分に、様々な意匠を形成できるため、従来の円形レンガ構造物と比して多様な意匠を形成することができる。また、仕上部材３は、工場等で生産できるため、容易に多様な外表面意匠を形成できる。よって、レンガＢやレンガ組用補助部材１とのバランスを考慮しながら、それぞれの色彩、明度等を調整することによって、外部から見た意匠を容易に調整できる。
【００５９】
［他の実施形態］
（１）レンガ組用補助部材の形状：前述の実施例１におけるレンガ組用補助部材１は、上面及び下面が二等辺三角形形状を有するとしたが、二辺を有し、その間の角が鋭角であれば、例示のものに限定されない。例えば、第３の辺が円弧状の上面、下面を有するものであってもよい。実施例２〜実施例４についても、同様である。
【００６０】
また、前述の実施例１におけるレンガ組用補助部材１では、第１の辺１１ａ、第２の辺１１ｂは、レンガの対応する辺と同様の長さとしているが、対応する辺よりも短い長さを有するものとしてもよい。この場合、レンガ組用補助部材１の位置を、円形レンガ構造物ＣＢ１の中心方向又は外側方向に移動させることによって、円形レンガ構造物ＣＢ１を形成する際に生ずる位置ずれを解消することができる。実施例２〜実施例４についても、同様である。
【００６１】
さらに、前述の実施例１におけるレンガ組用補助部材１では、第１の辺１１ａ、第２の辺１１ｂが交わって中心角α１１を形成するとしたが、上面１１、及び、下面１２の二等辺三角形の中心角α１１を形成する頂角の部分がカットし、上面、及び、下面を台形形状としてもよい。
【００６２】
（２）仕上空間の形状：前述の実施例１においては、仕上空間１７の第１の仕上空間１７ａ、１７ｂは、平面Ｐ１５ａ、Ｐ１５ｂによって形成されるとしたが、所定の仕上材料を埋設できる形状であれば、例示のものに限定されない。例えば、図７に示すレンガ組用補助部材５のような四角柱形状の第１の仕上空間５７ａ、第２の仕上空間５７ｂを有する仕上空間５７（図示せず）や、図８に示すレンガ組用補助部材６のような半円柱形状の第１の仕上空間６７ａ、第２の仕上空間６７ｂを有する仕上空間６７（図示せず）であってもよい。実施例４における仕上空間２１ａ、２１ｂについても同様である。
【００６３】
また、前述の実施例１においては、第３の側面１５の両端の角に第１の仕上空間１７ａ、第２の仕上空間１７ｂの２つを形成したが、いずれか一方のみを形成するようにしてもよい。実施例２〜実施例４についても同様である。
【００６４】
（３）仕上部材の形状：前述の実施例４においては、仕上部材４は、仕上空間１７ａ、１７ｂ、２１ａ、２１ｂが一体となった仕上空間２１と同様の形状としたが、各仕上空間に対応し、独立した仕上部材の集合体とするようにしてもよい。
【００６５】
また、前述の実施例３、実施例４においては、各仕上空間１７ａ、１７ｂ、２１ａ、２１ｂの形状に合わせた三角柱形状、又は、その集合体としたが、形成する仕上空間の形状に合わせて、例えば、図７に示す仕上空間５７ａ、５７ｂや、図８に示す仕上空間６７ａ、６７ｂに合わせて、仕上部材の形状を形成するようにすればよい。
【００６６】
（４）弾性接着剤：前述の実施例１〜実施例４においては、弾性接着剤として有機性の弾性接着剤を例示したが、レンガ組用補助部材とレンガとを接着できるものであれば、無性であってもよい。
【００６７】
（５）仕上材料：前述の実施例２において、最上層まで形成した後、所定の仕上材料として、所定の塗装剤を用いて、仕上空間２１を含む円形レンガ構造物ＣＢ２の外表面をきれいに仕上げるようにしてもよい。この場合、使用する塗装剤としては、有機性、無機性、いずれのものも使用することができる。これにより、白化現象を防止できるとともに、容易に円形レンガ構造物の外表面をきれいに仕上げることができる。
【符号の説明】
【００６８】
１      レンガ組用補助部材
１１      上面
α１１      中心角
１１ａ      第１の辺
１１ｂ      第２の辺
１１ｃ      第３の辺
１２      下面
α１２      中心角
１３      第１の側面
１４      第２の側面
１５      第３の側面
１５ａ      共通辺
１５ｂ      共通辺
１７      仕上空間
１７ａ      第１の仕上空間
１７ｂ      第２の仕上空間
Ｐ１１ａ      平面
Ｐ１１ｂ      平面
Ｐ１５ａ      平面
Ｐ１５ｂ      平面
２      レンガ組用補助部材
２１      仕上空間
２１ａ      第３の仕上空間
２１ｂ      第４の仕上空間
３      仕上部材
４      仕上部材
５      レンガ組用補助部材
５７      仕上空間
５７ａ      第１の仕上空間
５７ｂ      第２の仕上空間
６      レンガ組用補助部材
６７      仕上空間
６７ａ      第１の仕上空間
６７ｂ      第２の仕上空間
Ｂ      レンガ
ＣＢ１      円形レンガ構造物
ＣＢ２      円形レンガ構造物
【図１】
0006350999.tif 000002
【図２】
0006350999.tif 000003
【図３】
0006350999.tif 000004
【図４】
0006350999.tif 000005
【図５】
0006350999.tif 000006
【図６】
0006350999.tif 000007
【図７】
0006350999.tif 000008
【図８】
0006350999.tif 000009
【図９】
0006350999.tif 000010